(57)【要約】【課題】適切なゲイン制御を低コストで実現する。【解決手段】ＲＦアンプ１０により増幅されたＲＦ信号が、周波数変換部１１でＩＦ周波数に変換されＩＦアンプ１４によって増幅される受信装置１において、ＡＤＣ１５によってデジタル変換されたＩＦアンプ１４の出力信号がデジタル処理部１００に入力する。ＡＤＣ１５の出力はまた、デジタルフィルタ１６によって希望波に濾波され、デジタル処理部１００に入力する。デジタル処理部１００では、デジタルフィルタ１６による濾波前の信号電力と、デジタルフィルタ１６による濾波後の信号電力が測定され、その電力差が算出される。不要電力割合を示す電力差に基づいて、デジタル処理部１００は、ＲＦアンプ１０とＩＦアンプ１４のゲイン割合を制御する。【選択図】図１
2011228875.tif 000002
【特許請求の範囲】
【請求項１】
少なくとも、受信波を高周波数にて増幅する第１の増幅器と、前記第１の増幅器の周波数帯から後段の周波数帯への周波数変換をおこなう周波数変換器と、前記周波数変換器で周波数変換された信号を濾波するアナログフィルタと、前記アナログフィルタで濾波された信号を復調周波数で増幅する第２の増幅器と、前記第２の増幅器からの出力信号をデジタル信号に変換する変換器と、前記デジタル信号が希望周波数帯となるよう濾波するデジタルフィルタと、前記デジタルフィルタで濾波された信号を復調する復調器と、を備える受信装置において、
前記変換器からの出力信号と、前記デジタルフィルタで濾波された信号とが入力されるデジタル回路をさらに含み、
該デジタル回路は、
前記変換器からのデジタル信号と、前記デジタルフィルタで濾波されたデジタル信号の電力差を算出する電力差算出手段と、
少なくとも前記電力差算出手段が算出した電力差に基づいて、前記第１の増幅器と前記第２の増幅器とのゲイン割合を制御するゲイン制御手段と、を備える、
ことを特徴とする受信装置。
【請求項２】
前記ゲイン制御手段は、
設定可能なゲイン割合を示す閾値と前記電力差とを比較し、
該電力差が前記閾値よりも大きい場合は、前記第１の増幅器のゲイン割合を下げるよう制御し、
前記電力差が前記閾値よりも小さい場合は、前記第１の増幅器のゲイン割合を上げるよう制御する、
ことを特徴とする請求項１に記載の受信装置。
【請求項３】
前記デジタル回路は、
前記変換器からの出力信号の信号電力、または、前記デジタルフィルタで濾波された信号の信号電力に基づいて、前記第１の増幅器および前記第２の増幅器のゲインの合計値を設定するための基準値を出力するゲイン基準値設定手段、をさらに備え、
前記ゲイン制御手段は、
前記基準値に基づいて、前記第１の増幅器および前記第２の増幅器のゲイン合計値を決定し、
前記電力差と、前記ゲイン合計値とに基づいて前記ゲイン割合を決定する、
ことを特徴とする請求項１または２に記載の受信装置。
【請求項４】
前記デジタル回路は、
前記電力差と、前記基準値とに基づいて、希望周波数帯の受信信号の電力を推定する受信電力推定手段と、
前記復調器による復調結果に基づいて、受信信号の品質を判別する品質判別手段と、
前記復調器による復調結果に基づいて、伝搬路の状態を検出する状態検出手段と、
をさらに備え、
前記ゲイン制御手段は、
前記受信電力と、前記品質判別手段の判別結果、及び／又は、前記状態検出手段の検出結果を、前記ゲイン割合を決定する条件に加える、
ことを特徴とする請求項３に記載の受信装置。
【請求項５】
前記ゲイン制御手段は、
前記受信電力が所定の閾値より小さい場合、前記第１の増幅器のゲイン割合を下げないよう制御し、
前記受信電力が所定の閾値より大きい場合、前記第１の増幅器のゲイン割合を下げるよう制御する、
ことを特徴とする請求項４に記載の受信装置。
【請求項６】
前記ゲイン制御手段は、
前記品質判別手段の判別結果、及び／又は、前記状態検出手段の検出結果に基づいて前記閾値を変化させる、
ことを特徴とする請求項５に記載の受信装置。
【請求項７】
前記ゲイン制御手段は、
前記品質判別手段の判別結果、及び／又は、前記状態検出手段の検出結果に基づいて、前記周波数変換器および前記アナログフィルタの出力周波数の極性を制御する極性制御手段をさらに備える、
ことを特徴とする請求項４乃至６のいずれか１項に記載の受信装置。
【請求項８】
前記ゲイン制御手段は、前記電力差に基づいたゲイン割合の制御に代え、
前記ゲイン割合を一時的に変更し、
該ゲイン割合の変更前後における、前記品質判別手段の判別結果、及び／又は、前記状態検出手段の検出結果に基づいて、前記ゲイン割合を決定する、
ことを特徴とする請求項４乃至７のいずれか１項に記載の受信装置。
【請求項９】
前記ゲイン制御手段は、
前記ゲイン割合の制御を周期的におこなうものであり、
前記第１の増幅器の制御を、前記第２の増幅器の制御よりも長い周期でおこなう、
ことを特徴とする請求項１乃至８のいずれか１項に記載の受信装置。
【請求項１０】
少なくとも、受信波を高周波数にて増幅する第１の増幅器と、前記第１の増幅器の周波数帯から後段の周波数帯への周波数変換をおこなう周波数変換器と、前記周波数変換器で周波数変換された信号を濾波するアナログフィルタと、前記アナログフィルタで濾波された信号を復調周波数で増幅する第２の増幅器と、前記第２の増幅器からの出力信号をデジタル信号に変換する変換器と、前記デジタル信号が希望周波数帯となるよう濾波するデジタルフィルタと、前記デジタルフィルタで濾波された信号を復調する復調器と、を備える受信装置を制御するコンピュータに、
前記変換器からデジタル信号と、前記デジタルフィルタで濾波されたデジタル信号の電力差を算出する機能と、
少なくとも算出した電力差に基づいて、前記第１の増幅器と前記第２の増幅器とのゲイン割合を制御する機能と、
を実現させることを特徴とするプログラム。
【請求項１１】
前記コンピュータに、
前記変換器からの出力信号の信号電力、または、前記デジタルフィルタで濾波された信号の信号電力に基づいて、前記第１の増幅器および前記第２の増幅器のゲインの合計値を設定するための基準値を出力する機能と、
前記基準値に基づいて、前記第１の増幅器および前記第２の増幅器のゲイン合計値を決定する機能と、
前記電力差と、前記基準値とに基づいて、受信する希望周波数帯の受信信号電力を推定する機能と、
前記復調器による復調結果に基づいて、受信信号の品質を判別する機能と、
前記復調器による復調結果に基づいて、伝搬路の状態を検出する機能と、
前記受信電力と、前記受信信号の品質、及び／又は、前記伝搬路の状態に基づいて、前記ゲイン割合を決定する機能と、
前記受信信号の品質、及び／又は、前記伝搬路の状態に基づいて、前記周波数変換器および前記アナログフィルタの出力周波数の極性を制御する機能と、
を実現させることを特徴とする請求項１０に記載のプログラム。
【発明の詳細な説明】
【技術分野】
【０００１】
本発明は、受信装置、および、プログラムに関し、特に、デジタル放送の受信に好適な受信装置、および、プログラムに関する。
【背景技術】
【０００２】
地上デジタル放送などのデジタル放送の受信装置においては、受信した高周波信号を復調周波数に周波数変換して復調をおこなうが、この場合の復調回路への入力信号を一定に保つためにゲイン制御がおこなわれる（例えば、特許文献１）。
【０００３】
デジタル放送などの受信装置の場合、受信したアナログ信号をＡＤＣ（Analog-Digital Converter：アナログ−デジタル変換器）でデジタル信号に変換して復調動作がおこなわれるが、ゲイン制御にかかる動作は、デジタル変換前のアナログ回路でおこなわれることが一般的であった。
【０００４】
このような、従来の受信装置では、復調器への出力周波数で増幅するＩＦ（Intermediate Frequency：中間周波数）アンプのゲイン制御は、フィルタにより必要周波数帯に絞り込まれた信号を増幅しているため、ＩＦアンプの出力電力を求めることで、復調器内のゲイン制御器が適切なゲイン制御をおこなうことができるが、ＲＦ（Radio Frequency：放送周波数）アンプは放送周波数帯を一括増幅するため、希望する放送チャンネル（希望波）以外の放送波（不要波）も増幅しており、ＲＦアンプのゲインが過剰に高いと、出力信号が飽和し歪んでしまう。よって、ＲＦアンプのゲインを希望波に合わせると、不要波にとって過剰ゲインとなるので、出力信号が歪むことになる。
【０００５】
このため、従来の受信装置では、フィルタよりも前段で電力検出をおこない、希望波だけでなく、放送周波数帯全体の電力にてゲイン制御することで、ＲＦアンプに歪みが生じないようにしている。したがって、ＲＦアンプのゲイン制御のために、電力検出器やゲイン制御器などのアナログ回路を備えている必要があった。
【０００６】
ここで、従来の受信装置においては、低コストでの小型化を図るため、シリコンチューナＩＣが多く用いられているが、シリコンチューナＩＣは、受信装置に求められる温度保証範囲において特性が変化する。アナログ回路の集積によって実現されたシリコンチューナＩＣでは、温度変化に伴う性能変化を吸収するため、温度保証のための回路もさらに必要となる。また、場合によっては、温度保証範囲に収まらない部品が発生することもある。
【先行技術文献】
【特許文献】
【０００７】
【特許文献１】特開２００２−２９０１７８号公報
【発明の概要】
【発明が解決しようとする課題】
【０００８】
アナログ回路の場合、このように部品点数が増大することでコスト増を招く問題があり、低コスト化を図るためには、極力アナログ回路を用いずに受信装置を構成することが望ましい。しかしながら、上述したように、ＲＦアンプのゲイン制御には、アナログ回路の電力検出器やゲイン検出器が必要であり、この部分をデジタル回路にて実現する場合、専用のＡＤＣなどが必要となって回路規模や消費電力が増加してしまう上、ＡＤＣの温度保証範囲を実現するための回路もさらに必要となる。
【０００９】
本発明は、上記実状を鑑みてなされたものであり、適切なゲイン制御と低コスト化・小型化を実現できる受信装置、および、プログラムを提供することを目的とする。
【課題を解決するための手段】
【００１０】
上記目的を達成するため、本発明の第１の観点にかかる受信装置は、
少なくとも、受信波を高周波数にて増幅する第１の増幅器と、前記第１の増幅器の周波数帯から後段の周波数帯への周波数変換をおこなう周波数変換器と、前記周波数変換器で周波数変換された信号を濾波するアナログフィルタと、前記アナログフィルタで濾波された信号を復調周波数で増幅する第２の増幅器と、前記第２の増幅器からの出力信号をデジタル信号に変換する変換器と、前記デジタル信号が希望周波数帯となるよう濾波するデジタルフィルタと、前記デジタルフィルタで濾波された信号を復調する復調器と、を備える受信装置において、
前記変換器からの出力信号と、前記デジタルフィルタで濾波された信号とが入力されるデジタル回路をさらに含み、
該デジタル回路は、
前記変換器からのデジタル信号と、前記デジタルフィルタで濾波されたデジタル信号の電力差を算出する電力差算出手段と、
少なくとも前記電力差算出手段が算出した電力差に基づいて、前記第１の増幅器と前記第２の増幅器とのゲイン割合を制御するゲイン制御手段と、を備える、
ことを特徴とする。
【００１１】
上記受信装置において、
前記ゲイン制御手段は、
設定可能なゲイン割合を示す閾値と前記電力差とを比較し、
該電力差が前記閾値よりも大きい場合は、前記第１の増幅器のゲイン割合を下げるよう制御し、
前記電力差が前記閾値よりも小さい場合は、前記第１の増幅器のゲイン割合を上げるよう制御する、ことが望ましい。
【００１２】
上記受信装置において、
前記デジタル回路は、
前記変換器からの出力信号の信号電力、または、前記デジタルフィルタで濾波された信号の信号電力に基づいて、前記第１の増幅器および前記第２の増幅器のゲインの合計値を設定するための基準値を出力するゲイン基準値設定手段、をさらに備えていることが望ましく、この場合、
前記ゲイン制御手段は、
前記基準値に基づいて、前記第１の増幅器および前記第２の増幅器のゲイン合計値を決定し、
前記電力差と、前記ゲイン合計値とに基づいて前記ゲイン割合を決定する、ことが望ましい。
【００１３】
上記受信装置において、
前記デジタル回路は、
前記電力差と、前記基準値とに基づいて、希望周波数帯の受信信号の電力を推定する受信電力推定手段と、
前記復調器による復調結果に基づいて、受信信号の品質を判別する品質判別手段と、
前記復調器による復調結果に基づいて、伝搬路の状態を検出する状態検出手段と、
をさらに備えていることが望ましく、この場合、
前記ゲイン制御手段は、
前記受信電力と、前記品質判別手段の判別結果、及び／又は、前記状態検出手段の検出結果を、前記ゲイン割合を決定する条件に加える、ことが望ましい。
【００１４】
上記受信装置において、
前記ゲイン制御手段は、
前記受信電力が所定の閾値より小さい場合、前記第１の増幅器のゲイン割合を下げないよう制御し、
前記受信電力が所定の閾値より大きい場合、前記第１の増幅器のゲイン割合を下げるよう制御する、ことが望ましい。
【００１５】
上記受信装置において、
前記ゲイン制御手段は、
前記品質判別手段の判別結果、及び／又は、前記状態検出手段の検出結果に基づいて前記閾値を変化させる、ことが望ましい。
【００１６】
上記受信装置において、
前記ゲイン制御手段は、
前記品質判別手段の判別結果、及び／又は、前記状態検出手段の検出結果に基づいて、前記周波数変換器および前記アナログフィルタの出力周波数の極性を制御する極性制御手段をさらに備えていることが望ましい。
【００１７】
上記受信装置において、
前記ゲイン制御手段は、前記電力差に基づいたゲイン割合の制御に代え、
前記ゲイン割合を一時的に変更し、
該ゲイン割合の変更前後における、前記品質判別手段の判別結果、及び／又は、前記状態検出手段の検出結果に基づいて、前記ゲイン割合を決定する、ことが望ましい。
【００１８】
上記受信装置において、
前記ゲイン制御手段は、
前記ゲイン割合の制御を周期的におこなうものであることが望ましく、この場合、
前記第１の増幅器の制御を、前記第２の増幅器の制御よりも長い周期でおこなうことが望ましい。
【００１９】
上記目的を達成するため、本発明の第２の観点にかかるプログラムは、
少なくとも、受信波を高周波数にて増幅する第１の増幅器と、前記第１の増幅器の周波数帯から後段の周波数帯への周波数変換をおこなう周波数変換器と、前記周波数変換器で周波数変換された信号を濾波するアナログフィルタと、前記アナログフィルタで濾波された信号を復調周波数で増幅する第２の増幅器と、前記第２の増幅器からの出力信号をデジタル信号に変換する変換器と、前記デジタル信号が希望周波数帯となるよう濾波するデジタルフィルタと、前記デジタルフィルタで濾波された信号を復調する復調器と、を備える受信装置を制御するコンピュータに、
前記変換器からデジタル信号と、前記デジタルフィルタで濾波されたデジタル信号の電力差を算出する機能と、
少なくとも算出した電力差に基づいて、前記第１の増幅器と前記第２の増幅器とのゲイン割合を制御する機能と、
を実現させることを特徴とする。
【００２０】
上記プログラムは、
前記コンピュータに、
前記変換器からの出力信号の信号電力、または、前記デジタルフィルタで濾波された信号の信号電力に基づいて、前記第１の増幅器および前記第２の増幅器のゲインの合計値を設定するための基準値を出力する機能と、
前記基準値に基づいて、前記第１の増幅器および前記第２の増幅器のゲイン合計値を決定する機能と、
前記電力差と、前記基準値とに基づいて、受信する希望周波数帯の受信信号電力を推定する機能と、
前記復調器による復調結果に基づいて、受信信号の品質を判別する機能と、
前記復調器による復調結果に基づいて、伝搬路の状態を検出する機能と、
前記受信電力と、前記受信信号の品質、及び／又は、前記伝搬路の状態に基づいて、前記ゲイン割合を決定する機能と、
前記受信信号の品質、及び／又は、前記伝搬路の状態に基づいて、前記周波数変換器および前記アナログフィルタの出力周波数の極性を制御する機能と、
を実現させることが望ましい。
【発明の効果】
【００２１】
本発明によれば、適切なゲイン制御をおこなえる小型の受信装置を低コストで実現することができる。
【図面の簡単な説明】
【００２２】
【図１】本発明の実施形態１にかかる受信装置の構成を示すブロック図である。
【図２】図１に示したデジタル処理部によって実現される機能ブロック図である。
【図３】本発明の実施形態１にかかる「ゲイン制御処理」を説明するためのフローチャートである。
【図４】本発明の実施形態２にかかるデジタル処理部によって実現される機能ブロック図である。
【図５】本発明の実施形態３にかかる受信装置の構成を示すブロック図である。
【図６】本発明の実施形態４にかかるデジタル処理部によって実現される機能ブロック図である。
【図７】本発明の実施形態３にかかる「ゲイン制御処理」を説明するためのフローチャートである。
【発明を実施するための形態】
【００２３】
本発明にかかる実施形態を、図面を参照して以下に説明する。
【００２４】
（実施形態１）
本発明の実施形態１にかかる受信装置１を、図１を参照して説明する。本実施形態では、本発明にかかる受信装置を、例えば、地上デジタル放送などのデジタル放送の受信に用いるための受信装置として構成した場合を例に以下説明する。図１は、実施形態１にかかる受信装置１の構成を示すブロック図である。
【００２５】
図示するように、本実施形態にかかる受信装置１は、ＲＦアンプ１０、周波数変換部１１、ローカル発振器１２、アナログフィルタ１３、ＩＦアンプ１４、ＡＤＣ１５、デジタルフィルタ１６、復調部１７、ＤＡＣ１８、デジタル処理部１００、などから構成されている。
【００２６】
ＲＦアンプ１０は、アンテナ（不図示）などで受信された放送電波の受信信号を、放送周波数（ＲＦ：Radio Frequency）で増幅する増幅器（第１の増幅器）であり、本実施形態では、ゲイン（利得）制御可能な可変利得増幅器（ＶＧＡ：Variable Gain Amplifier）であるものとする。
【００２７】
周波数変換部１１は、例えば、アナログ乗算器などのミキサ回路から構成され、ＲＦアンプ１０で増幅された信号の周波数と、ローカル発振器１２からのローカル周波数とを混合することで、ＲＦアンプ１０の出力周波数を、ＲＦ帯域から後段の周波数帯域に変換する。本実施形態では、ＲＦ帯域からＩＦ（Intermediate Frequency：中間周波数）帯域への周波数変換をおこなうものとする。
【００２８】
アナログフィルタ１３は、例えば、ローパスフィルタ（ＬＰＦ：Low-Pass Filter）などのアナログフィルタであり、周波数変換部１１のＩＦ出力信号を濾波することで不要波を減衰させる。
【００２９】
ＩＦアンプ１４は、例えば、ＲＦアンプ１０と同様のＶＧＡ（可変利得増幅器）などから構成される増幅器（第２の増幅器）であり、アナログフィルタ１３で濾波された信号を、復調部１７へ出力する周波数で増幅する。本実施形態では、周波数変換部１１によってＩＦ周波数帯に周波数変換されているので、ＩＦ帯域の周波数で増幅する。
【００３０】
ＡＤＣ１５は、アナログ−デジタル変換器（Analog-Digital Converter：ＡＤＣ）であり、ＩＦアンプ１４によって増幅されたＩＦ帯域のアナログ信号をデジタル信号に変換し、復調にかかるデジタル信号処理に供する。
【００３１】
デジタルフィルタ１６は、ＡＤＣ１５によって変換されたデジタル信号を希望周波数帯にフィルタリング（濾波）するデジタルフィルタであり、例えば、ＤＬＰＦ（Digital Low-Pass Filter）などから構成される。
【００３２】
復調部１７は、デジタル復調回路などから構成され、デジタルフィルタ１６によって希望周波数帯にフィルタリングされたデジタル信号を復調し、音声や映像などを示す出力信号を、再生動作などにかかる後段（不図示）に出力する。
【００３３】
ＤＡＣ１８は、デジタル−アナログ変換器（Digital-Analog Converter：ＤＡＣ）であり、ＡＤＣ１５の前段であるアナログ回路をデジタル処理部１００が制御する際に、生成された制御信号（デジタル信号）をアナログ信号に変換する。このようなアナログ制御信号の生成においては、必要に応じて、例えば、ＰＷＭ（Pulse Width Modulation：パルス幅変調）やＰＣＭ（Pulse Code Modulation：パルス符号変調）などの変調がおこなわれるものとする。
【００３４】
デジタル処理部１００は、例えば、ＤＳＰ（Digital Signal Processor）やＣＰＵ（Central Processing Unit：中央演算処理装置）などのデジタルプロセッサ（デジタル演算回路）などから構成され、ＡＤＣ１５によって変換されたデジタル信号を用いた処理をおこなう。この場合において、上述した復調部１７にかかる機能がデジタル処理部１００によって実現されていてもよい。
【００３５】
本実施形態では、図１に示すように、ＡＤＣ１５からの出力と、デジタルフィルタ１６からの出力がデジタル処理部１００に入力されるよう構成されているものとする。デジタル処理部１００は、例えば、レジスタやＲＯＭ（Read Only Memory）、あるいは、その他の書換可能な記憶装置などに記録されている動作プログラムを実行することで各種機能を実現する。
【００３６】
本実施形態では、ＲＦアンプ１０およびＩＦアンプ１４のゲイン制御をデジタル処理部１００によっておこなう。デジタル処理部１００によって実現される機能のうち、ゲイン制御に必要となる機能を、図２を参照して以下に説明する。図２は、デジタル処理部１００によって実現される機能を示す機能ブロック図である。
【００３７】
図示するように、デジタル処理部１００により、濾波前電力測定機能１１０、濾波後電力測定機能１２０、電力差算出機能１３０、総ゲイン基準値設定機能１４０、ゲイン制御機能１５０、受信電力推定機能１６０、などが実現される。なお、本実施形態では、ＤＳＰやＣＰＵなどのようなプロセッサ内でこれらの機能が統合的に実現されるものとするが、上記各機能にかかる動作に特化した専用のハードウェアによってこれらの機能が実現されていてもよい。
【００３８】
濾波前電力測定機能１１０は、ＡＤＣ１５からの入力信号、すなわち、デジタルフィルタ１６によって濾波される前のデジタル信号の信号電力（以下、「濾波前信号電力」とする）を測定する。
【００３９】
濾波後電力測定機能１２０は、デジタルフィルタ１６からの入力信号、すなわち、デジタルフィルタ１６によって濾波された後のデジタル信号の信号電力（以下、「濾波後信号電力」とする）を測定する。
【００４０】
濾波前電力測定機能１１０および濾波後電力測定機能１２０の出力周期は、受信波の変調方式にかかる変調信号単位であるものとする。例えば、変調方式がＯＦＤＭ（Orthogonal Frequency Division Multiplexing：直交周波数分割多重）である場合、濾波前電力測定機能１１０および濾波後電力測定機能１２０の出力周期は、１ＯＦＤＭシンボル相当、もしくは、その整数倍となる。このように変調信号単位で出力周期が設定されている場合、復調部１７による復調動作に基づいたタイミング信号が、復調部１７から濾波前電力測定機能１１０および濾波後電力測定機能１２０に入力されるものとする。
【００４１】
また、濾波前電力測定機能１１０および濾波後電力測定機能１２０による電力測定の方法は任意であり、例えば、信号を電力に変換して区間内平均にて求める方法や、振幅の確率密度分布から閾値を超える割合を求めて変換する方法などといった既知の技術を用いることができる。
【００４２】
電力差算出機能１３０は、濾波前電力測定機能１１０および濾波後電力測定機能１２０によって測定された各信号電力の差分を演算することにより、濾波前信号電力と濾波後信号電力との電力差を算出する。
【００４３】
ここで、本実施形態にかかる受信装置１の受信対象が、いわゆるフルセグメント（フルセグ）放送であるものとする。すなわち、受信装置１は、１つのチャンネルに割り当てられた周波数帯域のすべて（以下、「全帯域」とする）を受信する。このような全帯域受信の場合、希望チャンネルの電力はすべて希望周波数帯に存在するので、希望周波数帯以外の電力はすべて不要な周波数成分となる。
【００４４】
本実施形態では、ＡＤＣ１５の出力信号がデジタルフィルタ１６によって希望周波数帯に濾波されているので、デジタルフィルタ１６による濾波をおこなう前の信号には、不要波の周波数成分、もしくは、受信装置１内で不要波から生じた歪みの周波数成分が混入している。よって、このような濾波前信号と、デジタルフィルタ１６によって希望周波数帯に濾波された濾波後信号とを比較することで、不要波の電力割合を推定することができる。
【００４５】
すなわち、電力差算出機能１３０によって算出される電力差は、このような不要波の電力割合を示す。ここで、受信装置１に入力された希望波の電力が小さい場合、熱雑音の影響による不要電力が生じるが、熱雑音の影響を受けない程の希望波電力である場合において不要波電力の割合が高い場合、不要波もしくは不要波による歪みが多く含まれているということになる。このような場合、電力差算出機能１３０によって算出される出力値は大きくなる。一方、不要波電力の割合が低い場合は、電力差算出機能１３０によって算出される出力値は小さくなる。
【００４６】
総ゲイン基準値設定機能１４０は、濾波前電力測定機能１１０によって測定された濾波前信号電力に基づいて、ＲＦアンプ１０およびＩＦアンプ１４のゲインの合計（総ゲイン）値を設定するための基準値（総ゲイン基準値）を設定し、ゲイン制御機能１５０に出力する。この場合、総ゲイン基準値設定機能１４０は、収束させたい電力値（目標値）と、濾波前信号電力とを比較する。そして、濾波前信号電力が目標値より大きい場合は出力する総ゲイン基準値の値を小さくし、濾波前信号電力が目標値より小さい場合は出力する総ゲイン基準値の値を大きくする。
【００４７】
総ゲイン基準値設定機能１４０が出力する総ゲイン基準値により、後段のゲイン制御機能１５０によって設定されるＲＦアンプ１０とＩＦアンプ１４の合計ゲインが変動する。本実施形態では、総ゲイン基準値が大きいほど合計ゲインが小さく設定され、総ゲイン基準値が小さいほど合計ゲインが大きく設定されることとする。すなわち、合計ゲインの設定にあたってはフィードバック構成となっており、濾波前電力測定機能１１０の値が一定となるよう制御される。
【００４８】
ゲイン制御機能１５０は、主に、電力差算出機能１３０によって算出された電力差に基づいて、ＲＦアンプ１０とＩＦアンプ１４のゲイン割合を制御する。すなわち、従来のアナログ回路において通常おこなわれていたようなＩＦアンプのゲイン制御だけでなく、ＲＦアンプのゲイン制御もおこなうことで、ゲイン割合を制御する。すなわち、本実施形態では、デジタル処理部１００によって論理的に実現されているゲイン制御機能１５０により、アナログ回路であるＲＦアンプ１０とＩＦアンプ１４のゲインが制御される。
【００４９】
上述したように、電力差算出機能１３０によって算出される電力差は、不要電力割合を示しているので、ゲイン制御機能１５０は、不要電力割合に応じたゲイン割合制御をおこなうことになる。この場合、不要電力割合が大きいときは不要波の電力または不要波が歪んだことにより生じる電力成分が大きいとし、受信装置１全体のゲインは変えずにＲＦアンプ１０のゲイン割合を下げるように制御する。一方、不要電力割合が小さいときは、熱雑音の影響を表すノイズ・フィギュア（ＮＦ：Noise Figure）が最小となるように、ＲＦアンプ１０のゲイン割合を高める制御をおこなう。
【００５０】
より詳細には、ＲＦアンプ１０において設定可能なゲイン割合の基準値（比較値）と、電力差算出機能１３０が出力した電力差とを比較し、電力差の値が基準値（比較値）より大きければ、ＲＦアンプ１０のゲイン割合を下げるように制御するための制御信号を生成する。一方、電力差の値が基準値（比較値）よりも小さければ、ＲＦアンプ１０のゲイン割合を上げるように制御するための制御信号を生成する。
【００５１】
この場合において、ＲＦアンプ１０は、ＩＦアンプ１４の制御周期よりも長い周期で制御されるものとする。ここで、ＩＦアンプ１４の制御周期は、上述した濾波前電力測定機能１１０および濾波後電力測定機能１２０の出力周期と同様、変調信号単位であるものとする。すなわち、受信波の変調方式がＯＦＤＭである場合は、１ＯＦＤＭシンボル周期もしくはその整数倍となる。
【００５２】
ＲＦアンプ１０のゲイン制御は、このようなＩＦアンプ１４の制御周期よりも長い周期でおこなう。これにより、ＩＦアンプ１４の収束性によって合計ゲインが収束する前にＲＦアンプ１０のゲイン切替がおこなわれることを防止する。この結果、ＩＦアンプ１４が収束に至るまでの間、ＲＦアンプ１０のゲインについては大きな変動が生じないことになり、合計ゲインが収束しないなどの挙動を低減させることができる。ただし、ＲＦアンプ１０の制御周期において合計ゲインが収束していなければ、ＲＦアンプ１０のゲイン変化分をＩＦアンプ１４のゲインから差し引くことで、ＲＦアンプ１０とＩＦアンプ１４の合計ゲインは一定となるように制御する。
【００５３】
受信電力推定機能１６０は、電力差算出機能１３０および総ゲイン基準値設定機能１４０の出力値に基づいて、希望周波数成分の受信電力を推定する。すなわち、総ゲイン基準値設定機能１４０が出力する値は、濾波前の周波数成分についての受信電力が反映され、電力差算出機能１３０が出力する値には、当該周波数成分のうちの希望波周波数成分の割合が反映されているので、総ゲイン基準値から求められる受信電力を希望周波数成分の割合とする演算をおこなうことで、希望周波数成分についての受信電力を求めることができる。
【００５４】
つまり、希望周波数の受信信号についての受信電力（受信信号電力）を求めることができ、受信装置１においては、この値がＲＳＳＩ（Received Signal Strength Indicator：受信信号強度）として用いられる。
【００５５】
以上が本実施形態にかかる受信装置１の構成であるが、上記の各構成は本発明を実現するために必要な構成を示したものであり、受信装置として必要となるその他の構成などについては必要に応じて適宜備えられているものとする。
【００５６】
このような構成の受信装置１の動作例を以下に説明する。ここでは、デジタル処理部１００によって実行される「ゲイン制御処理」を、図３に示すフローチャートを参照して説明する。この「ゲイン制御処理」は、本実施形態にかかる受信装置１で、例えば、受信動作が開始されたことを契機に開始されるものとする。
【００５７】
処理が開始され、ＩＦアンプ１４の制御周期（すなわち、変調信号単位の周期）となると（ステップＳ１０１：Ｙｅｓ）、濾波前電力測定機能１１０および濾波後電力測定機能１２０は、それぞれで信号電力を測定して電力差算出機能１３０に出力する。電力差算出機能１３０は、濾波前電力測定機能１１０が測定した濾波前信号の信号電力と、濾波後電力測定機能１２０が測定した濾波後信号の信号電力との電力差を算出し（ステップＳ１０２）、ゲイン制御機能１５０に通知する。
【００５８】
なお、濾波前電力測定機能１１０および濾波後電力測定機能１２０が測定した信号電力を示す情報、および、電力差算出機能１３０が算出した電力差を示す情報は、例えば、デジタル処理部１００内のレジスタや、デジタル処理部１００が使用するＲＡＭ（Random Access Memory）などの記憶装置に保持されるものとする。
【００５９】
このとき、濾波前電力測定機能１１０は、測定した濾波前信号の信号電力を総ゲイン基準値設定機能１４０にも通知する。総ゲイン基準値設定機能１４０は、濾波前信号の信号電力に基づいて総ゲイン基準値を設定し、ゲイン制御機能１５０に通知する。
【００６０】
ゲイン制御機能１５０は、電力差算出機能１３０から通知された電力差と、ＲＦアンプ１０およびＩＦアンプ１４のゲイン割合についての基準値とを比較することで、ＲＦアンプ１０およびＩＦアンプ１４のゲイン割合を決定する（ステップＳ１０３）。なお、総ゲイン基準値設定機能１４０が設定する総ゲイン基準値や、ゲイン制御機能１５０が決定したゲイン割合を示す情報なども、上述した記憶装置に保持されるものとする。
【００６１】
ゲイン割合を決定すると、ゲイン制御機能１５０は、記憶装置に保持されている現在のゲイン割合と比較し、決定したゲイン割合が現在設定されているゲイン割合と異なれば（ステップＳ１０４：Ｙｅｓ）、当該決定したゲイン割合となるようにＲＦアンプ１０およびＩＦアンプ１４を制御するための制御信号を生成する。
【００６２】
ゲイン制御機能１５０は、生成したＩＦアンプ１４に対する制御信号を、ＤＡＣ１８を介してＩＦアンプ１４に送出することで、決定したゲイン割合となるようＩＦアンプ１４のゲインを制御する（ステップＳ１０５）。
【００６３】
ここでは、ＩＦアンプ１４の収束性により、合計ゲインが自動的に収束することが期待されるので、ゲイン制御機能１５０は、総ゲイン基準値設定機能１４０が出力する基準値に基づいて、ＲＦアンプ１０とＩＦアンプ１４の合計ゲインが、決定したゲイン割合となるように収束しているか否かを判別する（ステップＳ１０６）。
【００６４】
すなわち、ＩＦアンプ１４についての制御周期よりもＲＦアンプ１０の制御周期を長くしていることで、合計ゲインの安定化が図られている。これは、ＲＦアンプ１０とＩＦアンプ１４の合計ゲインを一定にしたままゲイン割合を変化させた場合において、設定したゲインと、ＲＦアンプ１０およびＩＦアンプ１４での実際のゲインとに差分が生じると、ゲイン割合を変化させることで合計ゲインが変化してしまうことになるからである。この場合、ＲＦアンプ１０とＩＦアンプ１４とで制御周期に差を設けているので、ＲＦアンプ１０の制御周期内にＩＦアンプ１４の収束性によって合計ゲインの誤差が時間経過とともに収束する。したがって、この収束に必要な時間の分、ＲＦアンプ１０の制御周期を長く設定しておくことで、合計ゲインの誤差が自動的に収束するので、合計ゲインが安定する。
【００６５】
よって、ステップＳ１０５でＩＦアンプ１４のゲインを制御したことにより、合計ゲインが自動的に収束することが期待されるが、ＲＦアンプ１０の制御周期の時点で合計ゲインが収束していない場合（ステップＳ１０６：Ｎｏ、ステップＳ１０７：Ｙｅｓ）、ゲイン制御機能１５０は、ＲＦアンプ１０のゲイン変化分をＩＦアンプ１４のゲインから差し引くことで、ＲＦアンプ１０とＩＦアンプ１４の合計ゲインが一定となるよう調整する（ステップＳ１０８）。
【００６６】
以上のような動作が、例えば、受信装置１の動作終了などといった所定の終了イベントが発生するまで繰り返し実行されることで、入力信号に含まれる不要電力に応じたゲイン制御がおこなわれる（ステップＳ１０９：Ｎｏ）。
【００６７】
そして、終了イベントの発生により本処理は終了する（ステップＳ１０９：Ｙｅｓ）。
【００６８】
本実施形態によれば、ＡＤＣ１５の出力に含まれる希望波周波数帯域成分とそれ以外の成分からの電力割合に基づいてＲＦアンプ１０とＩＦアンプ１４のゲイン割合を制御するので、フルセグメント放送の受信などといった全帯域受信で、希望波のチャンネルから離れた周波数に不要波が存在する場合のゲイン制御を適切におこなうことができる。
【００６９】
なお、本実施形態では、濾波前電力測定機能１１０によって測定された濾波前信号電力に基づいて、総ゲイン基準値設定機能１４０が総ゲイン基準値を出力するものとしたが、例えば、希望周波数帯の電力が一定となることを優先した方が受信装置１全体としての性能が改善する場合においては、濾波後電力測定機能１２０によって測定された濾波前信号電力に基づいて、総ゲイン基準値設定機能１４０が総ゲイン基準値を出力してもよい。
【００７０】
この場合は、濾波後電力測定機能１２０からの出力が総ゲイン基準値設定機能１４０に入力されるよう構成する。あるいは、濾波前電力測定機能１１０および濾波後電力測定機能１２０と、総ゲイン基準値設定機能１４０との間にスイッチを構成し、総ゲイン基準値設定機能１４０への入力を切替可能な構成としてもよい。
【００７１】
なお、濾波後電力測定機能１２０からの出力が総ゲイン基準値設定機能１４０に入力される構成とした場合、例えば、濾波前電力測定機能１１０が測定した信号電力が受信電力推定機能１６０に通知されるように動作することで、受信電力推定機能１６０による受信電力推定がおこなわれるようにする。
【００７２】
また、総ゲイン基準値設定機能１４０が用いる目標値、および、ゲイン制御機能１５０が用いる基準値などは単一の値であってもよいが、ゲインの変動を最小にすることで復調性能の劣化を防止するためには、目標値や基準値を２つ設けることが望ましい。この場合、目標値や基準値より大きい場合を判定する値と、目標値や基準値より小さい場合を判定する値とを分けることで、ヒステリシスを設けることが可能となる。
【００７３】
なお、本実施形態において閾値となる値（目標値や基準値）は、例えば、受信中に受信帯域が変化することや、ＡＤＣ１５のサンプリング周波数が変化することなどに応じて変化するものとし、この場合、処理周期なども連動して変更されるものとする。
【００７４】
（実施形態２）
上記実施形態では、デジタルフィルタ１６での濾波前後の信号における電力差を求めることで、不要電力割合に応じたゲイン割合を決定してゲイン制御をおこなうものとしたが、ゲイン割合を決定する条件に受信品質を反映させることもできる。
【００７５】
このような動作を実現するためのデジタル処理部１００の機能を図４に示す。図４は、デジタル処理部１００によって実現される本実施形態にかかる機能を示す機能ブロック図である。
【００７６】
図示するように、本実施形態にかかるデジタル処理部１００は、実施形態１で示した各機能に加え、受信品質判別機能１７０と伝搬路状態検出機能１８０と、を実現する。
【００７７】
受信品質判別機能１７０は、復調部１７による復調結果に基づいて、受信信号品質、回線品質などといった、受信信号にかかる各種品質を示す品質信号を生成し、ゲイン制御機能１５０に通知する。
【００７８】
ここで、受信信号品質とは、例えば、復調部１７の復調処理により得られる期待値との差分であり、ＱＰＳＫ（Quadrate Phase Shift Keying）やＱＡＭ（Quadrate Amplitude Modulation）の期待する最寄りの座標に対して受信信号がどれだけ離れているかを示すＭＥＲ（Modulation Error Ratio）などの誤差情報で示される。
【００７９】
また、回線品質とは、例えば、誤り訂正処理によって復号された信号と、元の信号の差から推定される信号誤り率（Bit Error Ratio：ＢＥＲ）などで示される。
【００８０】
受信品質判別機能１７０は、受信信号品質や回線品質などについての良否を数値変換し、これらの値に重み付けをして合成した値を示す品質信号を生成し、ゲイン制御機能１５０に出力する。
【００８１】
伝搬路状態検出機能１８０は、復調部１７による復調結果に基づいて、伝搬路状態などを検出し、伝搬経路にかかる品質を示す状態信号を生成し、ゲイン制御機能１５０に通知する。
【００８２】
ここで、伝送路状態とは、例えば、ガードインターバル（Guard Interval：ＧＩ）を有するＯＦＤＭにて時間位置情報を抽出する際におこなう自己相関の強さや、受信レベル変動、既知信号を基に求められる伝搬路の到来状況などである。
【００８３】
ゲイン制御機能１５０は、実施形態１で例示したような動作と同様の動作によってＲＦアンプ１０とＩＦアンプ１４のゲイン割合を制御するが、本実施形態では、ゲイン割合の決定（図３：ステップＳ１０３）において、電力差だけでなく、受信電力推定機能１６０が推定する受信電力、受信品質判別機能１７０が生成した品質信号が示す受信品質、伝搬路状態検出機能１８０が生成した状態情報が示す伝搬路状態を条件に加える。
【００８４】
この場合のゲイン制御機能１５０の動作を以下に説明する。ここでは、受信電力が小さい場合と大きい場合とに分けて動作内容を説明する。
【００８５】
まず、受信電力が小さい場合、ゲイン制御機能１５０は、受信電力が小さい場合に設定される閾値（弱電力閾値）と受信電力推定機能１６０が推定した受信電力とを比較し、受信電力が弱電力閾値より小さい（すなわち、希望周波数帯の受信電力が小さい）場合は、ＲＦアンプ１０のゲインをさげないように制御するための制御信号を生成する。これは、不要波によって受信装置１内で生じる歪みよりも、ＮＦ劣化の方が受信に影響を及ぼすためである。
【００８６】
この場合、ゲイン制御機能１５０はさらに、伝搬路状態検出機能１８０が出力する値と閾値（検出閾値）とを比較し、状態信号が示す値が検出閾値より大きい（すなわち、伝搬路状態の変動量が大きい）場合は、弱電力閾値を高くする。これにより、希望波周波数帯の電力が小さいときには、ＲＦアンプ１０のゲインを下げにくくするよう制御する。これは、伝搬路変動が大きいと、ＮＦによる影響を受けやすい状況になり、瞬時的に希望波が小さくなってしまうためである。
【００８７】
ゲイン制御機能１５０はまた、受信品質判別機能１７０が出力する品質信号が示す値と閾値（品質閾値）とを比較し、品質信号の示す値が品質閾値よりも高ければ、ＲＦアンプ１０のゲインを下げないように制御するための制御信号を生成する。これは、良好な受信がおこなわれている場合には、ＲＦアンプ１０のゲイン制御をおこなう必要がないためである。
【００８８】
次に、受信電力が大きい場合の動作について説明する。この場合、ゲイン制御機能１５０は、受信電力推定機能１６０の出力値と閾値（強電力閾値）とを比較し、受信電力が強電力閾値より大きい（すなわち、希望周波数帯の受信電力が大きい）場合、ＲＦアンプ１０のゲインを下げるよう制御する制御信号を生成する。受信電力が大きくＮＦ劣化による影響を受けない状況では、ＲＦアンプ１０のゲインを下げて不要波への耐性を高めるためである。
【００８９】
この場合において、受信品質判別機能１７０の品質信号が示す値が品質閾値より低く、受信状態が良好でないと判断されるときは、強電力閾値の値を下げる。これにより、希望周波数帯の電力が大きいときにはＲＦアンプ１０のゲインをより下げやすくするよう制御される。
【００９０】
以上のように、本実施形態にかかる構成によれば、ＲＦアンプ１０とＩＦアンプ１４のゲイン割合の決定条件に、受信品質や伝搬路状態を反映する。これにより、全帯域受信で希望波のチャンネルから離れた周波数に不要波が存在する場合において、受信品質や伝搬路状態に応じたより適切なゲイン制御をおこなうことができる。
【００９１】
すなわち、希望波の受信電力が小さい場合は、ＮＦを最良にする必要があるが、この場合にＲＦアンプ１０のゲイン割合を下げないように制御することができる。このときに、受信品質や伝搬経路状態に基づいて閾値の値を変化させるので、ＲＦアンプ１０のゲイン割合の下限を設けることができ、それ以下にならないよう制御することができる。
【００９２】
一方、希望波の受信電力が大きい場合には、ＮＦの劣化が受信信号の品質に影響しないので、ＲＦアンプ１０のゲインを積極的に下げるように制御することができる。
【００９３】
また、希望波の受信電力が小さい場合において、受信電力の変動が大きく（すなわち、伝搬路変動が大きく）、急激かつ一時的な受信電力の縮小が生じる可能性がある場合には、ＲＦアンプ１０のゲイン割合を下げないように制御することができる。これにより、ＲＦアンプ１０のゲイン割合が低いために、受信電力が縮小したときのＮＦ劣化によって受信できなくなることを防止することができる。
【００９４】
このときに、受信品質や伝搬経路状態に応じて閾値を変化させるので、ＲＦアンプ１０のゲイン割合の下限を設けることができ、それ以下にならないよう制御することができる。
【００９５】
なお、本実施形態における各閾値は、例えば、受信する変調方式や符号化率などといった受信性能の変化に連動して変化するものとし、また、それぞれ２種類の値を用意してヒステリシスを有するようにすることで、ＲＦアンプ１０での不用意なゲイン変更による受信劣化が生じないようにすることができる。
【００９６】
（実施形態３）
上記実施形態１および実施形態２では、全帯域受信において希望波チャンネルから離れた周波数に不要波が存在する場合に有効なゲイン制御の例を示したが、本実施形態では、全帯域受信において隣接する不要チャンネルに不要波が存在する場合に有効となるゲイン制御の例を説明する。
【００９７】
すなわち、全帯域受信においては、ＲＦアンプ１０のゲインが強すぎると、隣接する不要チャンネルに不要成分が発生することになり、このときにＩＦ周波数の極性が適切でないと、マイナス周波数での減衰が大きくなり、受信特性が劣化しやすい状況となる。よって、本実施形態では、ＩＦ周波数の極性が適切となるよう切り替える動作をおこなうことで、ゲイン制御によって受信特性が劣化してしまうことを防止する。
【００９８】
このような動作をおこなうための、本実施形態にかかる受信装置１の構成を図５に示す。図示するように、本実施形態では、デジタル処理部１００がローカル発振器１２およびアナログフィルタ１３を制御する構成となる。
【００９９】
この場合のローカル発振器１２は、デジタル処理部１００からの制御信号に基づいて、周波数変換部１１に出力する周波数を変化できる構成であるものとする。この場合、ローカル発振器１２の出力周波数の変化によって、周波数変換部１１が出力するＩＦ周波数の極性が変更されるものとする。
【０１００】
また、アナログフィルタ１３は、デジタル処理部１００からの制御信号に基づいて、このようなＩＦ周波数の極性変更に合わせて、減衰させる周波数の極性、すなわち、打ち消し極性を切り替えることのできるＬＰＦなどの複素フィルタであるものとする。
【０１０１】
このような構成において、デジタル処理部１００で実現される機能の例を図６に示す。本実施形態では、図示するように、上記実施形態２で例示した、濾波前電力測定機能１１０、濾波後電力測定機能１２０、電力差算出機能１３０、総ゲイン基準値設定機能１４０、ゲイン制御機能１５０、受信電力推定機能１６０、受信品質判別機能１７０、伝搬路状態検出機能１８０、に加え、極性制御機能１９０がデジタル処理部１００によって実現される。
【０１０２】
極性制御機能１９０は、周波数変換部１１によるＩＦ周波数の極性が切り替わるようなローカル周波数を発生するための制御信号を生成し、ＤＡＣ１８を介してローカル発振器１２に送出するとともに、切り替わったＩＦ周波数の極性に応じた打ち消し極性に切り替えるための制御信号を生成し、ＤＡＣ１８を介してアナログフィルタ１３に送出する。
【０１０３】
このような本実施形態にかかる受信装置１の動作を以下に説明する。本実施形態にかかる「ゲイン制御処理」を、図７に示すフローチャートを参照して説明する。本実施形態にかかる「ゲイン制御処理」においても、実施形態１にかかる「ゲイン制御処理」の場合と同様、受信装置１での受信動作が開始されたことを契機に処理が開始されるものとする。
【０１０４】
処理が開始されると、実施形態１の「ゲイン制御処理」（図３）におけるステップＳ１０１〜ステップＳ１０９と同様の処理により、ゲイン割合の制御がおこなわれる（ステップＳ３０１）。
【０１０５】
ここで、ステップＳ１０３にかかるゲイン割合の決定においては、実施形態２で例示したような、受信品質や伝搬路状態が条件に加えられているものとする。すなわち、受信品質や伝搬路状態に応じてゲイン割合の最適化が図られている。
【０１０６】
ステップＳ３０１でのゲイン制御において、ゲイン制御機能１５０は、ＲＦアンプ１０の制御周期となった時点（ステップＳ１０７）で、その旨を極性制御機能１９０に通知する。
【０１０７】
ステップＳ３０１において終了イベントが発生すれば処理を終了するが（ステップＳ１０９：Ｙｅｓ）、終了イベントが発生しなければ（ステップＳ１０９：Ｎｏ）、極性制御機能１９０は、ゲイン制御機能１５０からの通知に基づいて、極性制御の動作タイミングが到来したか否かを判別する（ステップＳ３０２）。本実施形態では、周波数変換部１１およびアナログフィルタ１３の極性切替動作を、ＲＦアンプ１０のゲイン制御周期よりも長い周期でおこなうものとする。
【０１０８】
したがって、極性制御機能１９０は、ＲＦアンプ１０のゲイン制御の通知から所定時間経過した時点で、極性制御の動作タイミングが到来したと判別することができるが、この動作タイミングが到来するまでは他の動作もおこなわずに待機する（ステップＳ３０２：Ｎｏ）。これは、極性制御の動作中にゲイン制御がおこなわれないようにするためであり、これにより、不適切なフィードバックによる発振や、収束性が悪化することを防ぐことができる。
【０１０９】
極性制御の動作タイミングとなると（ステップＳ３０２：Ｙｅｓ）、極性制御機能１９０は、受信品質判別機能１７０および伝搬路状態検出機能１８０のそれぞれから、品質信号および状態信号を取得することで、その時点での受信品質や伝搬路状態を認識する（ステップＳ３０３）。
【０１１０】
極性制御機能１９０は、取得した品質信号および状態信号に基づいて、現在の受信品質と伝搬路状態が十分に良好であるか否かを判別する（ステップＳ３０４）。ここでは、例えば、受信品質と伝搬路状態のそれぞれについて、十分に良好であることを示す閾値と比較し、受信品質と伝搬路状態の双方が、閾値を超える数値となっている場合に、「十分に良好である」と判別する。
【０１１１】
ここで、現在の受信品質や伝搬路状態が十分に良好である場合（ステップＳ３０４：Ｙｅｓ）、極性選択に起因する受信特性の劣化が生じていないので、極性切替をおこなう必要がない。この場合は、極性切替の制御をおこなわずにステップＳ３１１に進む。
【０１１２】
一方、現在の受信品質や伝搬路経路が十分に良好ではない場合（ステップＳ３０４：Ｎｏ）、極性選択に起因する受信特性の劣化が生じている可能性がある。よって、極性制御機能１９０は、ステップＳ３０３で取得した品質信号および状態信号を、極性切替をおこなう前の受信品質と伝搬路状態を示す情報として、レジスタやＲＡＭなどの記憶装置に記録する（ステップＳ３０５）。
【０１１３】
続いて、極性制御機能１９０は、周波数変換部１１が出力するＩＦ周波数の極性を反転させるローカル周波数をローカル発振器１２に発生させる制御信号と、反転したＩＦ周波数の極性に応じた減衰がおこなえるよう、複素フィルタであるアナログフィルタ１３の打ち消し極性を反転させる制御信号を生成し、ＤＡＣ１８を介してローカル発振器１２とアナログフィルタ１３に送出することで、ＩＦ周波数の極性を反転させる制御をおこなう（ステップＳ３０６）。
【０１１４】
極性反転をおこなうと、極性制御機能１９０は、極性反転後の受信品質と伝搬路状態を示す品質信号と状態信号を、受信品質判別機能１７０と伝搬路状態検出機能１８０から取得する（ステップＳ３０７）。
【０１１５】
極性制御機能１９０は、取得した品質信号および状態信号（すなわち、極性反転後の受信品質と伝搬路状態）と、ステップＳ３０５で記録した品質信号および状態信号（すなわち、極性反転前の受信品質と伝搬路状態）とを比較する（ステップＳ３０８）。
【０１１６】
ここで、極性反転後の方が良好となるのであれば（ステップＳ３０９：Ｎｏ）、反転させた極性の方が適していることになるので、次の極性制御タイミングまでこの状態を維持する。
【０１１７】
一方、極性反転前の方が良好である場合（ステップＳ３０９：Ｙｅｓ）、反転前の極性の方が適していることになるため、極性制御機能１９０は、ステップＳ３０６と同様の動作をおこなうことで、ＩＦ周波数の極性を再度反転させる（ステップＳ３１０）。
【０１１８】
以上のような動作を終了イベントが発生するまで繰り返しおこなう（ステップＳ３１１：Ｎｏ）。すなわち、ＲＦアンプ１０のゲイン制御周期よりも長い周期毎に、ＩＦ周波数の極性反転を試行し、受信品質と伝搬路状態がより良好となる極性が選択される。
【０１１９】
そして、終了イベントの発生により本処理を終了する（ステップＳ３１１：Ｙｅｓ）。
【０１２０】
以上のように、本実施形態にかかる構成によれば、ＲＦアンプ１０とＩＦアンプ１４のゲイン割合を制御した後に、ＩＦ周波数の極性反転を試行することで、より良好な受信状況となる極性を選択する。これにより、全帯域受信で隣接する不要チャンネルに不要波が存在する場合において、適切な周波数極性が選択され、ゲイン制御の効果をより向上させることができる。
【０１２１】
なお、上述したように、極性制御をおこなっている間はゲイン制御がおこなわれないようにすることで、極性の切替前後で合計ゲインが同一となるようにしているが、アナログ回路の特性差などによっては、ローカル発振器１２のローカル周波数が変化すると、濾波前電力測定機能１１０で測定される電力にも変化が生じることがある。このような場合でも、実施形態１で説明したように、ＲＦアンプ１０のゲイン制御周期よりも短い周期でＩＦアンプ１４のゲイン制御をおこなうことで、ＩＦアンプ１４のゲインが追従して収束することになるが、この追従を早めるために、極性制御をおこなった直後に限っては、ＩＦアンプ１４のゲイン制御が通常の周期よりも短い周期でおこなわれるような制御を加えてもよい。
【０１２２】
（実施形態４）
上記実施形態３では、ＩＦ周波数の極性反転を試行し、その前後の受信品質や伝搬路状態を比較することで、より良好な受信状態となる極性が選択されるようにしたが、このような動作をゲイン制御に適用してもよい。
【０１２３】
この場合の受信装置１の構成は、実施形態２で例示したものを適用することができ、デジタル処理部１００によって実現される機能は、図４で示したものになる。
【０１２４】
そして、ゲイン制御機能１５０が、一定周期毎に、ＲＦアンプ１０とＩＦアンプ１４のゲイン割合を一時的（試行的）に変更し、変更前後で受信品質・伝搬路状態を比較する。そして、より良好な受信品質・伝搬路状態となるゲイン割合に設定する。
【０１２５】
このようなゲイン割合制御においても、実施形態２で例示したような、受信電力の大小に応じたゲイン割合の決定や、ゲイン割合の決定に用いる閾値の値を受信品質や伝搬路状態に応じて変化させる動作をおこなうことができる。
【０１２６】
本実施形態のような動作をおこなう受信装置１は、例えば、ワンセグメント放送などのような、希望チャンネル内に含まれる希望周波数帯のみを受信する部分帯域受信をおこなう場合に好適となる。
【０１２７】
部分帯域受信においては、希望チャンネル内の希望周波数帯以外は不要な周波数成分となるので、希望チャンネルにおいても不要周波数成分が含まれていることになる。この場合、逆極性となる周波数に存在する電力は、同じ放送局からの不要周波数成分であるので、電力割合は伝搬路による影響が生じるのみで、大幅に電力差が生じることはない。
【０１２８】
したがって、実施形態１〜実施形態３で示したような電力差に基づくゲイン割合制御ではなく、周期的にゲイン割合変更を試行し、変更前後の伝搬路状態などに基づいて、より良好となるゲイン割合に変更することで、不要なゲイン制御動作をおこなうことなく、適切なゲイン割合とすることができる。
【０１２９】
（実施形態５）
実施形態３で示した動作と実施形態４で示した動作を組み合わせておこなうことのできる受信装置１とすることもできる。すなわち、ＲＦアンプ１０とＩＦアンプ１４のゲイン割合を周期的に変更し、変更前後の受信品質等に基づいて、より良好となるゲイン割合にするとともに、ＩＦ周波数の極性反転についても同様の動作によって、受信品質等がより良好となる極性を選択する。
【０１３０】
この場合、ゲイン割合の変更周期を極性選択の制御周期よりも短い周期とすることで、ゲイン割合変更後に極性選択がなされるようにするとともに、ゲイン割合の変更と極性選択が同時におこなわれないように制御することが望ましい。
【０１３１】
この場合においても、実施形態２で例示したような、受信電力の大小に応じたゲイン割合の決定や、ゲイン割合の決定に用いる閾値の値を受信品質や伝搬路状態に応じて変化させる動作をおこなうことができる。
【０１３２】
本実施形態では、実施形態４で例示した動作に、極性反転動作を組み合わせているので、ワンセグメント放送などの部分帯域受信において、希望周波数帯の逆極性となる周波数に不要周波数成分が存在する場合に、極性反転によってより良好な受信状態とすることができ、ゲイン制御の効果をより向上させることができる。
【０１３３】
以上説明したように、本発明を上記実施形態の如く適用することにより、受信装置のゲイン制御をデジタル回路にて実現できるので、アナログ回路の構成数が削減され、受信装置の小型化を低コストで実現することができる。
【０１３４】
この場合において、ＩＦアンプで増幅された後にデジタル変換された信号から、希望波以外の周波数成分を含んでいる信号電力と、希望波に濾波された周波数成分の信号電力の電力差をデジタル回路で検出してＲＦアンプとＩＦアンプのゲイン割合を決定しているので、アナログ回路の構成数を削減しつつ、ＲＦアンプに歪みが生じない適切なゲイン制御をおこなうことができる。
【０１３５】
このような電力差を検出する構成をデジタル回路で実現しているので、ＲＳＳＩに相当する受信電力を演算により求めることができ、ＲＳＳＩを使用するシステムに用いられる受信装置であっても、ＲＳＳＩを計測するための構成を必要としない。
【０１３６】
また、ＲＦアンプとＩＦアンプのゲイン割合を制御した後に、ＩＦ周波数の極性を最適化する動作をおこなうので、ゲイン制御によってＲＦゲインが過大になった場合に生じる不要成分を収束させることができる。
【０１３７】
さらに、周期的にゲイン割合変更を試行し、それによって変化する受信品質等に基づいてゲイン割合を制御するので、不要成分の発生が電力差に反映しにくい部分帯域受信の場合でも、適切なゲイン制御をおこなうことができる。
【０１３８】
このような部分帯域受信に好適なゲイン制御とする構成も、全帯域受信の場合に好適なゲイン制御をおこなう構成も、デジタル回路により論理的に実現できるので、受信対象毎に専用回路を用意する必要がなく、受信対象に応じたゲイン制御を柔軟におこなうことのできる受信装置を小型かつ低コストで実現することができる。
【０１３９】
上記実施形態は一例であり、本発明の適用範囲はこれに限られない。すなわち、種々の応用が可能であり、あらゆる実施の形態が本発明の範囲に含まれる。
【０１４０】
例えば、上記実施形態では、周波数変換部１１でＲＦ周波数からＩＦ周波数に変換するものとしたが、変換後の周波数帯域がベースバンド（Base Band：ＢＢ）帯域であってもよい。この場合、ＬＰＦに代え、バンドパスフィルタ（Band-Pass Filter：ＢＰＦ）によってアナログフィルタ１３を構成し、ＩＦＶＧＡに代え、ＢＢＶＧＡ（Base Band VGA）によってＩＦアンプ１４を構成し、ＤＬＰＦに代え、ＤＢＰＦ（デジタルＢＰＦ）によってデジタルフィルタ１６を構成すればよい。
【０１４１】
また、上記実施形態で例示した復調部１７がデジタル処理部１００によって実現されていてもよい。すなわち、上述したデジタル処理部１００によって実現される機能と、復調部１７としての動作をおこなうための各機能が１つのデジタル回路（プロセッサ）によって実現されるように構成してもよい。
【０１４２】
なお、上記実施形態の受信装置１と同様の機能や構成を予め備えた受信装置によって本発明を実現できることはもとより、デジタルフィルタによる濾波前後の信号が入力されるデジタル回路を有しているのであれば、既存の受信装置のデジタル回路にプログラムを適用することで、本発明にかかる受信装置として機能させることもできる。この場合、上記実施形態で例示したデジタル処理部１００と同様のコンピュータ（ＣＰＵなど）に、上述した機能と同様の機能を実現させるためのプログラムを実行させることで、本発明にかかる受信装置として機能させることができる。
【０１４３】
このようなプログラムの適用方法は任意であり、例えば、ＣＤ−ＲＯＭやメモリカードなどの記憶媒体に格納して適用できる他、例えば、インターネットなどの通信媒体を介して適用することもできる。
【符号の説明】
【０１４４】
１…受信装置、１０…ＲＦアンプ、１１…周波数変換部、１２…ローカル発振器、１３…アナログフィルタ、１４…ＩＦアンプ、１５…ＡＤＣ、１６…デジタルフィルタ、１７…復調部、１８…ＤＡＣ、１００…デジタル処理部、１１０…濾波前電力測定機能、１２０…濾波後電力測定機能、１３０…電力差算出機能、１４０…総ゲイン基準値設定機能、１５０…ゲイン制御機能、１６０…受信電力推定機能、１７０…受信品質判別機能、１８０…伝搬路状態検出機能、１９０…極性制御機能
【図１】
2011228875.tif 000003
【図２】
2011228875.tif 000004
【図３】
2011228875.tif 000005
【図４】
2011228875.tif 000006
【図５】
2011228875.tif 000007
【図６】
2011228875.tif 000008
【図７】
2011228875.tif 000009